(57)【要約】【課題】本発明は、上記課題を解決するためになされたもので、特にアンダーカウンター式洗面器において、洗面ボウルとカウンターとの接合部の構成を見直すことにより、意匠性の向上を図り、また清掃性を高めて衛生面の向上を図り、かつ施工を容易にすることに好適なアンダーカウンター式洗面器を提供することを目的とする。【解決手段】アンダーカウンター式洗面器において、カウンターと洗面器との接合部に不透水性あるいは難透水性を有し、さらに防カビ性を有するひれ状の軟質材が嵌合された構成としたことを特徴とするアンダーカウンター式洗面器。【選択図】　図１
2004105530.tif 000002
【特許請求の範囲】
【請求項１】
開口部を有するカウンターと、該カウンターの下方に取付けられる洗面器とからなるアンダーカウンター式洗面器において、
前記カウンターが開口部周縁に垂れ下がり部を備え、該垂れ下がり部と前記洗面器とのクリアランス部に不透水性あるいは難透水性を有し、さらに防カビ性を有するひれ状の軟質材が嵌合されたことを特徴とするアンダーカウンター式洗面器。
【請求項２】
前記カウンターの垂れ下がり部に、該垂れ下がり部内側上方から外側下方に向かう傾斜が設けられ、先端部が鋭角をなしていることを特徴とする請求項１記載のアンダーカウンター式洗面器。
【発明の詳細な説明】
【０００１】
【発明の属する技術分野】
本発明は、アンダーカウンター式洗面器に係り、特にカウンターと洗面器の接合部の構成を見直すことにより、意匠性の向上を図り、また清掃性を高めて衛生面の向上を図ることに好適なアンダーカウンター式洗面器に関するものである。
【０００２】
【従来の技術】
従来のアンダーカウンター式洗面器において、カウンターには洗面ボウルの形状に近似の形状をなす開口部が設けられ、前記開口部は幾分洗面ボウルの外形よりは小さめの寸法で形成されていて、洗面ボウルはカウンター裏面に当接され固定されている。
洗面ボウルとカウンターの間には、接着と防水を兼ねたシリコンなどのコーキング材が塗布あるいは注入されたり、またパッキン等が介装されるのが一般的である（例えば、特許文献１参照）。
【０００３】
【特許文献１】
特開平８−５６８６４号公報。
【０００４】
【発明が解決しようとする課題】
上記従来のアンダーカウンター式洗面器においては、カウンターの開口部が洗面ボウルより幾分小さめに形成されているのは、洗面ボウルの寸法誤差を考慮し、カウンター上面に陶器が露出しないことを目的としている。
従って、カウンターの開口部は、洗面ボウルの開口部よりも内側へ若干オーバーハングして見える。
【０００５】
これにより、カウンターと洗面ボウルが接合している部分が使用者からは目に付きにくいというメリットがあるが、一方で、カウンターと洗面ボウルが接合している部分は水濡れが非常に多い部位であり、常に湿度が高いばかりでなく、日光等の外光が届かない暗部となるため、汚れが付着しやすく、またカビ等の雑菌が発生しやすいという問題があった。
普段使用者の目に付きにくいために、汚れやカビが発生した場合にも気づかれないことがあり、不衛生であった。
【０００６】
また、洗面ボウルとカウンターの間に接着と防水を兼ねたコーキング材が塗布あるいは注入されており、コーキング材が、ボウル内面に露出して使用者から見える場合があり、施工上での見栄えにバラツキを生じるので好ましくなかった。加えて一般的に用いられるシリコン等のコーキング材には、透水性を有するものがあり、カビなどが発生しやすい場合があった。
【０００７】
そこで、本発明は、上記課題を解決するためになされたもので、特に洗面ボウルと別部材のカウンターから構成されるアンダーカウンター式洗面器において、洗面ボウルとカウンターとの接合部の構成を見直すことにより、意匠性の向上を図り、また清掃性を高めて衛生面の向上を図ることに好適なアンダーカウンター式洗面器を提供することを目的とする。
【０００８】
【課題を解決するための手段および効果】
上記問題を解決するために請求項１記載の発明は、開口部を有するカウンターと、該カウンターの下方に取付けられる洗面器とからなるアンダーカウンター式洗面器において、前記カウンターが開口部周縁に垂れ下がり部を備え、該垂れ下がり部と前記洗面器とのクリアランス部に不透水性あるいは難透水性を有し、さらに防カビ性を有するひれ状の軟質材が嵌合されたことを特徴とする。
【０００９】
本発明によれば、アンダーカウンター式洗面器において、カウンターの垂れ下がり部と洗面器とのクリアランス部に不透水性あるいは難透水性を有し、さらに防カビ性を有するひれ状の軟質材が嵌合された構成としたことにより、たとえ洗面ボウルに寸法誤差があった場合でも、ひれ状の軟質材が、カウンターの開口部と洗面ボウルとの間を隙間なく密着させることを可能にすることから、洗面ボウルとカウンター両者にあった段差がなくなり、あたかも一体に構成されているかのような見栄えとなり、好ましい。かつひれ状の軟質材によってコーキング材が使用者の目に触れることがなく、施工上での見栄えにバラツキを生じることがなくなり、意匠性が向上する。
【００１０】
さらに、上記構成により、洗面ボウルとカウンター両者の間に汚れが付着したり、カビが発生することを未然に防ぐことができるようになる。
また、それらが発生した場合にも、使用者から目につきやすく、また手も届きやすい上に、段差がないため、容易に清掃することができることから、衛生面での向上が図られる。
【００１１】
請求項２に記載の発明は、請求項１記載のアンダーカウンター式洗面器にいて、カウンターの垂れ下がり部に、該垂れ下がり部内側上方から外側下方に向かう傾斜が設けられ、先端部が鋭角をなしていることを特徴とする。
【００１２】
本発明によれば、カウンターの開口部に、開口部内側上方から外側下方に向かう傾斜が設けられていることにより、ボウル内が大きく見えるので好ましく、またカウンターと洗面ボウルの段差を更に少なくすることができることから、より意匠的にも衛生的にも向上が図られる。
【００１３】
【発明の実施の形態】
図１は、本発明請求項１記載ののアンダーカウンター式洗面器の実施例を示す断面図である。
アンダーカウンター式洗面器１は、カウンター１１、洗面ボウル２、軟質材３、コーキング材４などから構成されている。
カウンター１１には、開口部１２、垂れ下がり部１３、ガイド面１６などが設けられている。
また、カウンター１１と洗面ボウル２との間には、陶器の寸法誤差を吸収するクリアランス１５を設けている。
【００１４】
カウンター１１には、開口部１２が設けられ、前記開口部１２は洗面ボウル２の開口形状に近似の形状をなし、幾分洗面ボウル２の外形よりは小さめの寸法で形成されている。
【００１５】
また、前記開口部１２の周縁には下方に向かって垂れ下がり部１３が一体に設けられ、垂れ下がり部１３の外周面は、洗面ボウル２を固定する固定位置の目安となるガイド面１６が設けられている。
洗面ボウル２は、カウンター１１の裏面に当接され、ガイド面１６を位置の目安として設置される。
この場合に、洗面ボウル２の接着面２１には、カウンター１１と洗面ボウル２を接着させ、かつ防水性を得る目的で、シリコンなどのコーキング材４が塗布される。
【００１６】
垂れ下がり部１３の下面から洗面ボウル２内面の間にかけては、不透水性あるいは難透水性を有し、さらに防カビ性を有するひれ状の軟質材３がひれが外下方に向かうようにして嵌合されている。
軟質材３の固定は、洗面ボウル２をカウンター１１に固定した後に、接着剤によって両者に固定してもよく、またカウンター１１を成形する場合に、カウンター１１と同時に成形し、固着させる方式をとることもできる。
軟質材３は、カウンター１１と、洗面ボウル２の間にできるクリアランス１５に対して、両者の間隙を埋める役目がある。
即ち、洗面ボウル２に寸法誤差があった場合でも、ひれ状の軟質材３が、カウンター１１の垂れ下がり部１３と洗面ボウル２との間を隙間なく密着させることを可能にするため、洗面ボウル２とカウンター１１両者にあった段差がなくなり、あたかも一体に構成されているかのような見栄えとなるため、意匠性が向上する。
【００１７】
また垂れ下がり部１３の下面から洗面ボウル２内面の間にかけて、ひれ状の軟質材３が嵌合されるため、洗面ボウル２とカウンター１１両者の間に汚れが付着したり、カビが発生することを未然に防ぐことができるようになる。
またそれらが発生した場合にも、使用者から目につきやすく、また手も届きやすい上に、段差がないため、容易に清掃することができるため、衛生面での向上が図られる。
【００１８】
さらに、図３に示す従来のアンダーカウンター式洗面器において、カウンター１１と洗面ボウル２を接着し、かつ防水機能を持たせるために塗布したシリコン等のコーキング材４が、洗面ボウル２内面に露出して使用者から見えるという問題があったが、図１に示す本発明のアンダーカウンター式洗面器においては、コーキング材４が使用者の目に触れることがなく、施工上での見栄えにバラツキを生じることがなくなり、意匠性が向上する。
【００１９】
さらにまた、図１に示す本発明のアンダーカウンター式洗面器においては、垂れ下がり部１３の外周面に陶器固定の位置の目安となるガイド面１６が設けられており、洗面ボウル２はカウンター１１の裏面に当接され、ガイド面１６を位置の目安として設置されるため、実際の施工の場合において、洗面ボウル２の位置決めを行う際に、ガイド面１６を目安として洗面ボウル２を組み合わせればよく、従来の洗面器カウンターに比べて正確な位置決めを迅速に行うことが可能になり、施工性が向上する。
【００２０】
洗面器をカウンターに固定するための部材構成は以下の通りである。洗面器の固定にはブッシュ５や、ナット６、固定金具７、緩衝材８などが用いられ、カウンター１１の裏面からブッシュ５を立設し、固定金具７に設けられた貫通穴７１をブッシュ５に挿通させ、かつ固定金具７の平坦部７２で洗面ボウル２を受け止め、ナット６をブッシュ５に螺通することで、カウンター１１の裏面から洗面ボウル２を固定するのが一般的である。
この際に、洗面ボウル２と固定金具７の間に、木材などの緩衝材８が用いられる場合がある。
【００２１】
図２は、本発明請求項２記載のアンダーカウンター式洗面器の実施例を示す図である。
垂れ下がり部１３には、開口部１２内側上方から外側下方に向かう傾斜面１４が設けられ、先端部が鋭角をなしている。そして、軟質材３はこの傾斜面に連続する形状で伸張し洗面器との隙間を塞いでいる。
【００２２】
この構成によれば、ボウル内が大きく見えるという見栄え上での向上と、またカウンター１１と洗面ボウル２の段差を更に少なくすることができるため、衛生面での向上が図られる。
【００２３】
【発明の効果】
上述した構成にすることによって、清掃性を高めて衛生面の向上が図られ、また、意匠性のよいアンダーカウンター式洗面器が提供できる。
【図面の簡単な説明】
【図１】本発明におけるアンダーカウンター式洗面器の実施例を示す図。
【図２】本発明におけるアンダーカウンター式洗面器の実施例を示す図。
【図３】従来のアンダーカウンター式洗面器を示す図。
【符号の説明】
１　…カウンター式洗面器
１１…カウンター
１２…開口部
１３…垂れ下がり部
１４…傾斜面
１５…クリアランス
１６…ガイド面
２　…洗面ボウル
３　…軟質材
４　…コーキング材
５　…ブッシュ
６　…ナット
７　…固定金具
７１…貫通穴
７２…平坦部
８　…緩衝材
【図１】
2004105530.tif 000003
【図２】
2004105530.tif 000004
【図３】
2004105530.tif 000005